(57)【特許請求の範囲】
【請求項１】
サイクロン式分離装置を備えている真空掃除具において、
前記サイクロン式分離装置が、
第１のサイクロン式分離ユニットと、
前記第１のサイクロン式分離ユニットの下流に配置されている第２のサイクロン式分離ユニットと、
前記第１のサイクロン式分離ユニットによって分離された塵埃を収集するために配置されている第１の塵埃収集器であって、端部壁を備えている前記第１の塵埃収集器と、
前記第２のサイクロン式分離ユニットによって分離された塵埃を収集するために配置されている第２の塵埃収集器であって、外壁と前記第１の塵埃収集器の前記端部壁の少なくとも一部分とを備えている前記第２の塵埃収集器と、
前記第２の塵埃収集器が閉じられているように前記端部壁が前記外壁に当接している、第１の構成と、前記第２の塵埃収集器が塵埃を前記第２の塵埃収集器から取り除くために開放されるように前記端部壁が前記外壁から離隔している、第２の構成との間において、前記第１の塵埃収集器と前記第２の塵埃収集器の前記外壁とが、互いに対して移動可能とされる、回り止め機構であって、前記第１の塵埃収集器と前記第２の塵埃収集器の前記外壁とが、前記第１の構成から前記第２の構成に移動可能となるように、且つ、前記第１の塵埃収集器と前記第２の塵埃収集器の前記外壁とが前記第１の構成に移動することを防止するように配置されている、前記回り止め機構と、
を備えていることを特徴とする真空掃除具。
【請求項２】
前記第１のサイクロン式分離ユニットが、分離ユニット軸線を規定しており、
前記第１の塵埃収集器と前記第２の塵埃収集器の前記外壁とが、前記分離ユニット軸線に対して平行とされる方向において移動制限されていることを特徴とする請求項１に記載の真空掃除具。
【請求項３】
前記第１の塵埃収集器が、塵箱基部を有している塵箱を備えており、
前記塵箱基部が、前記端部壁の少なくとも一部分を形成しており、
前記第１のサイクロン式分離ユニットが、前記塵箱の上側部分を備えており、
前記第１の塵埃収集器が、前記塵箱の下側部分と前記塵箱基部とを備えていることを特徴とする請求項１又は２に記載の真空掃除具。
【請求項４】
前記第２の塵埃収集器の前記外壁が、前記第１の塵埃収集器と前記第２の塵埃収集器の前記外壁とが前記第１の構成とされる場合に前記端部壁を密閉する下側縁部を有している、管状部分を備えていることを特徴とする請求項１〜３のいずれか一項に記載の真空掃除具。
【請求項５】
前記真空掃除具が、前記回り止め機構を動作不能とするための回り止め機構乗り上げ装置を備えており、
前記回り止め機構乗り上げ装置が、前記第１の塵埃収集器が前記第２の構成となることによって前記回り止め機構が動作不能となるように構成されており、これにより、第１の塵埃収集器と前記第２の塵埃収集器の前記外壁とが第１の位置に移動可能とされることを特徴とする請求項１〜４のいずれか一項に記載の真空掃除具。
【請求項６】
前記真空掃除具が、前記回り止め機構を動作可能とするための回り止め機構初期化装置を備えており、
前記回り止め初期化装置が、前記回り止め機構が動作不能とされる場合に、前記第１の塵埃収集器と前記第２の塵埃収集器の前記外壁とが前記第１の構成になることによって、前記回り止め機構が動作可能となるように構成されていることを特徴とする請求項５に記載の真空掃除具。
【請求項７】
前記回り止め機構が、ラチェットを備えていることを特徴とする請求項１〜６のいずれか一項に記載の真空掃除具。
【請求項８】
前記ラチェットが、一連の歯と、前記歯に係合するように配置されている爪とを備えており、
前記歯が、前記第２の塵埃収集器の前記外壁と共に移動するように配置されており、
前記爪が、前記第１の塵埃収集器に対して固定されており、前記第１の塵埃収集器と前記第２の塵埃収集器の前記外壁とが前記第１の構成となるように移動することを防止するために、前記歯それぞれと係合するように配置されていることを特徴とする請求項７に記載の真空掃除具。
【請求項９】
前記第２のサイクロン式分離ユニットが、スライダを備えており、
前記真空掃除具が、前記スライダが塵箱に対して相対的に移動可能となるように、前記スライダを受容する案内部材を備えていることを特徴とする請求項７に記載の真空掃除具。
【請求項１０】
一連の歯が、前記スライダに設けられていることを特徴とする請求項９に記載の真空掃除具。
【請求項１１】
前記回り止め機構乗り上げ装置が、前記第１の塵埃収集器と前記第２の塵埃収集器の前記外壁とが前記第２の構成となる場合に前記爪を一連の前記歯から係合解除するように構成されており、
これにより、前記第１の塵埃収集器と前記第２の塵埃収集器の前記外壁とが、前記第１の構成に復帰可能とされることを特徴とする請求項５に従属する場合の請求項８〜１０のいずれか一項に記載の真空掃除具。
【請求項１２】
前記爪が、前記塵箱に回動可能に接続されていることを特徴とする請求項３に従属する場合の請求項８〜１１のいずれか一項に記載の真空掃除具。
【請求項１３】
前記爪の回動軸線が、前記第１の位置と第２の位置との間における前記第２の塵埃収集器の前記外壁に対する前記第１の塵埃収集器の移動方向に対して平行とされることを特徴とする請求項１２に記載の真空掃除具。
【請求項１４】
前記真空掃除具が、本体部分を備えており、
前記爪が、前記爪が前記歯と係合又は係合解除するように回転可能とされるように、前記本体部分に接続されていることを特徴とする請求項８〜１１のいずれか一項に記載の真空掃除具。
【請求項１５】
前記爪が、前記第１の位置と前記第２の位置との間における前記第２の塵埃収集器の前記外壁に対する前記第１の塵埃収集器の移動方向に対して垂直とされる軸線を中心として回転するように配置されていることを特徴とする請求項１４に記載の真空掃除具。
【発明の詳細な説明】
【技術分野】
【０００１】
本発明は、サイクロン式分離器を備えている真空掃除具に関する。
【背景技術】
【０００２】
特許文献１は、第１のサイクロン式分離ユニットと第１のサイクロン式分離ユニットの下流に配置されている第２のサイクロン式分離ユニットとを備えている真空掃除機を開示している。第１のサイクロン式分離ユニットは、第１のサイクロン式分離ユニットによって分離された塵埃を収集するための塵箱を備えている。塵箱は、塵埃を取り除いて廃棄するために開放可能とされる基部を有している。さらに、基部は、清掃のために、第２のサイクロン式分離ユニットから取り外し可能とされる。
【０００３】
カーペットの繊維束、髪の毛、又は他の嵩張る塵埃が中央のシュラウドと塵箱との間に捕捉されると、利用者は、利用者の指又は適切な機器を利用することによって塵箱基部を通じて塵箱を空にするために、塵箱とシュラウドとの間から塵埃を引っ張り出す必要がある。代替的には、利用者は、空にするために、塵箱を第２のサイクロン式分離ユニットから完全に取り外すことができる。塵箱の取り外し及びその後の交換は不便である。さらに、利用者が塵箱を完全に空にすることができなかった場合には、塵箱に残存する大きい塵埃が第２のサイクロン式分離ユニットのための塵埃収集器と塵箱基部との間に捕捉され、これにより、空気と大きい塵埃とが第１のサイクロン式分離ユニットの下流の流れに直接引き込まれ、モータ前フィルタが目詰まりし、モータが損傷する恐れがある。
【先行技術文献】
【特許文献】
【０００４】
【特許文献１】英国特許出願公開第２５０８０３５号明細書
【発明の概要】
【発明が解決しようとする課題】
【０００５】
本発明は、サイクロン式分離装置を備えている真空掃除具において、サイクロン式分離装置が、第１のサイクロン式分離ユニットと、第１のサイクロン式分離ユニットの下流に配置されている第２のサイクロン式分離ユニットと、第１のサイクロン式分離ユニットによって分離された塵埃を収集するために配置されている第１の塵埃収集器であって、端部壁を備えている第１の塵埃収集器と、第２のサイクロン式分離ユニットによって分離された塵埃を収集するために配置されている第２の塵埃収集器であって、外壁と第１の塵埃収集器の端部壁の少なくとも一部分とを備えている第２の塵埃収集器と、第２の塵埃収集器が閉じられているように端部壁が外壁に当接している、第１の構成と、第２の塵埃収集器が塵埃を第２の塵埃収集器から取り除くために開放されるように端部壁が外壁から離隔している、第２の構成との間において、第１の塵埃収集器と第２の塵埃収集器の外壁とが、互いに対して移動可能とされる、回り止め機構であって、第１の塵埃収集器と第２の塵埃収集器の外壁とが、第１の構成から第２の構成に移動可能となるように、且つ、第１の塵埃収集器と第２の塵埃収集器の外壁とが第１の構成に移動することを防止するように配置されている、回り止め機構と、を備えている真空掃除具を提供する。
【課題を解決するための手段】
【０００６】
真空掃除具は、真空掃除機の本体部分に取り外し可能に接続されており、真空掃除機の一部分を形成している。
【０００７】
第１のサイクロン式分離ユニットが、分離ユニット軸線を規定しており、第１の塵埃収集器と第２の塵埃収集器の外壁とが、分離ユニット軸線に対して平行とされる方向において移動制限されている。
【０００８】
第１の塵埃収集器が、塵箱基部を有している塵箱を備えており、塵箱基部が、端部壁の少なくとも一部分を形成している。第１のサイクロン式分離ユニットが、塵箱の上側部分を備えており、第１の塵埃収集器が、塵箱の下側部分と塵箱基部とを備えている。
【０００９】
第２の塵埃収集器の外壁が、第１の塵埃収集器と第２の塵埃収集器の外壁とが第１の構成とされる場合に端部壁を密閉する下側縁部を有している、管状部分を備えている。
【００１０】
真空掃除具が、回り止め機構を動作不能とするための回り止め機構乗り上げ装置を備えており、回り止め機構乗り上げ装置が、第１の塵埃収集器が第２の構成となることによって回り止め機構が動作不能となるように構成されており、これにより、第１の塵埃収集器と第２の塵埃収集器の外壁とが第１の位置に移動可能とされる。
【００１１】
真空掃除具が、回り止め機構を動作可能とするための回り止め機構初期化装置を備えており、回り止め初期化装置が、回り止め機構が動作不能とされる場合に、第１の塵埃収集器と第２の塵埃収集器の外壁とが第１の構成になることによって、回り止め機構が動作可能となるように構成されている。
【００１２】
回り止め機構が、ラチェットを備えている。ラチェットが、一連の歯と、歯に係合するように配置されている爪とを備えている。一連の歯が、少なくとも３つの歯を、好ましくは少なくとも４つの歯を、例えば６つの歯を備えている。歯が、第２の塵埃収集器の外壁と共に移動するように、且つ、分離器軸線に対して平行に延在するように配置されている。爪が、第１の塵埃収集器に対して固定されており、第１の塵埃収集器と第２の塵埃収集器の外壁とが第１の構成となるように移動することを防止するために、歯それぞれと係合するように配置されている。
【００１３】
第２のサイクロン式分離ユニットが、スライダを備えており、真空掃除具が、スライダが塵箱に対して相対的に移動可能となるように、スライダを受容する案内部材を備えている。一連の歯が、スライダに設けられている。
【００１４】
回り止め機構乗り上げ装置が、第１の塵埃収集器と第２の塵埃収集器の外壁とが第２の構成となる場合に爪を一連の歯から係合解除するように構成されており、これにより、第１の塵埃収集器と第２の塵埃収集器の外壁とが、第１の構成に復帰可能とされる。従って、爪は、歯から係合解除された状態で保持されており、当該爪と歯ととの係合が防止されている。
【００１５】
爪が、塵箱に回動可能に接続されている。爪の回動軸線が、第１の位置と第２の位置との間における第２の塵埃収集器の外壁に対する第１の塵埃収集器の移動方向に対して平行とされる。
【００１６】
真空掃除具が、本体部分を備えており、爪が、爪が歯と係合又は係合解除するように回転可能とされるように、本体部分に接続されている。爪が、第１の位置と第２の位置との間における第２の塵埃収集器の外壁に対する第１の塵埃収集器の移動方向に対して垂直とされる軸線を中心として回転するように配置されている。
【００１７】
本発明を良好に理解するために、及び、本発明の効果をより明確に表わすために、本発明について、添付図面を参照しつつ例示的に説明する。
【図面の簡単な説明】
【００１８】
【図１】真空掃除機の第１の実施例を表わす。
【図２】図１に表わす真空掃除機の本体及びサイクロン式分離器を表わす。
【図３】図２に表わす本体及びサイクロン式分離器の断面図である。
【図４】図２に表わす本体とサイクロン式分離器とが互いから分離された状態を表わす。
【図５】図４に表わす本体の正面図である。
【図６Ａ】第１の構成における、図２に表わす本体及びサイクロン式分離器の部分的な後面図である。
【図６Ｂ】第２の構成における、図２に表わす本体及びサイクロン式分離器の部分的な後面図である。
【図７】駆動要素を表わす。
【図８】真空掃除機の第２の実施例を表わす。
【図９】図８に表わす真空掃除機のサイクロン式分離器を表わす。
【図１０】図９に表わすサイクロン式分離器の断面図である。
【図１１】図９に表わすサイクロン式分離器の第１の部分を表わす。
【図１２】図９に表わすサイクロン式分離器の第２の部分を表わす。
【図１３】図９に表わすサイクロン式分離器のアクチュエータの一部分を表わす。
【図１４】図１３に表わすアクチュエータの一部分についての別の斜視図である。
【図１５】キャッチを具備する、図９に表わすサイクロン式分離器の一部分を表わす。
【発明を実施するための形態】
【００１９】
図１は、本体４とサイクロン式分離器６とワンド８と掃除機ヘッド１０とを備えているステック型真空掃除機２を表わす。
【００２０】
図２及び図３は、本体４及びサイクロン式分離器６のみを表わす。本体４は、モータ及びファンユニット１３を収容している上側部分１２と、バッテリーパック１５の形態をした電力供給源を収容している下側部分１４とを有している。利用に際に真空掃除機２を保持するためのハンドル１６は、上側部分１２から下側部分１４に至るまで延在している。
【００２１】
サイクロン式分離器６は、本体４に取り外し可能に接続されている。サイクロン式分離器６は、第１のサイクロン式分離ユニット１８と第２のサイクロン式分離ユニット２０とを備えている。
【００２２】
第１のサイクロン式分離ユニット１８は、円筒状外壁２３を有している塵箱２２を備えている。塵箱２２の上側部分が、サイクロン式分離チャンバ２４を形成しており、サイクロン式分離チャンバ２４は、長手方向軸線Ｘと入口２６とを有している。塵箱２２の下側部分が、塵埃収集領域２８を形成しており、塵埃収集領域２８には、流入する空気流から分離された塵埃が蓄積される。入口ダクト３０は、入口２６に配置されており、サイクロン式分離チャンバ２４の内部において回転流を促進するように配置されている。
【００２３】
さらに、塵箱２２は、塵箱基部３２を形成している端部壁を備えている。塵箱基部３２は、ヒンジ３４を介して円筒状外壁２３の下側部分に接続されており、これにより、塵箱基部３２が、塵箱基部３２が塵埃収集領域２８内に塵埃を保持するための閉位置と、塵埃が塵埃収集領域２８から除去可能とされる開位置との間において移動可能とされる。塵箱基部３２は、塵箱２２の下側部分と共に、第１のサイクロン式分離ユニット１８によって分離された塵埃を収集するための第１の塵埃収集器を形成している。塵箱基部３２は、隆起部分３５を備えており、隆起部分３５は、塵箱基部３２の残りの部分から上方に突出している。塵箱基部３２は、キャッチ３６によって閉位置に保持されている。図示の実施例では、キャッチ３６は、塵箱基部３２と一体に形成されているバネクリップを備えている。キャッチ３６は、塵箱２２の下側外面に設けられている保持形体３８に係止されている。
【００２４】
さらに、塵箱２２は、プッシュロッドの形態をしたアクチュエータ３９を備えており、アクチュエータ３９は、塵箱２２の側面においてチャネルの内部に捕捉された状態で保持されているので、アクチュエータ３９は、第一の位置（非展開位置）と第２の位置（展開位置）との間において、上下方向に（塵箱２２の円筒状外壁２３に対して平行に）移動可能とされる。塵箱基部３２が閉位置に位置している場合には、アクチュエータ３９を第１の位置から第２の位置に向かって移動させることによって、アクチュエータ３９の下側縁部がキャッチ３６と保持形体３８との間に強制的に押し込まれるので、キャッチ３６が解除されると共に、アクチュエータ３９の隣り合う当接部分が塵箱基部３２と接触し、これにより、塵箱基部３２が強制的に閉位置から外される。
【００２５】
管状のスクリーン４０が、サイクロン式分離チャンバ２４の内部に配置されている。管状のスクリーン４０は、サイクロン式分離チャンバ２４の長手方向軸線Ｘと同軸に延在しているシュラウドを形成している。スクリーン４０は、例えば金属プレートのような、高剛性の多孔板を備えている。孔は、サイクロン式分離チャンバ２４からの流体出口として機能する。
【００２６】
環状ワイパー４２が、円筒状の塵箱２２の上側周縁部に固定されている。環状ワイパー４２は、弾性材料から成る錐台状のリングを備えており、当該リングは、塵箱２２の上側縁部から内方且つ下方に突出しており、管状のスクリーン４０の外面に接触している。
【００２７】
第２のサイクロン式分離ユニット２０は、複数の第２のサイクロン４４と、第２のサイクロン４４の固形物用出口の下に配置されている中空の下側部分４６を形成するように配置されている外壁と、第２のサイクロン４４同士の間に且つ第２のサイクロン４４の下流に配置されているモータ前フィルタ４８と、２つの隣り合うサイクロンの間に且つ本体４の上側部分１２に設けられたモータ入口５２の後方に延在している出口ダクト５０とを備えている。
【００２８】
中空の下側部分４６は、管状のスクリーン４０の内部において下方に延在している。入口ダクト５４は、中空の下側部分４６と管状のスクリーン４０との間に部分的に形成されていると共に、第２のサイクロン４４の外壁によって部分的に形成されており、（スクリーン４０の孔によって形成された）サイクロン式分離チャンバ２４の流体出口から第２のサイクロン４４の入口に至るまで上方に延在している。管状のスクリーン４０と中空の下側部分４６とが、管状のスクリーン４０の端部壁５５によって、頂部及び底部において共に結合されており、一体化されたユニットを形成している。
【００２９】
中空の下側部分４６は、弾性材料から作られている環状の端部セクション５６を備えている。端部セクション５６は、塵箱基部３２の隆起部分３５と係合すると共に、塵箱基部３２の隆起部分３５に対するシールを形成しているので、塵箱基部３２及び中空の下側部分４６が共に、第２のサイクロン式分離ユニット２０によって分離された塵埃を収集するための第２の塵埃収集器を形成している。
【００３０】
図４に表わすように、第２のサイクロン式分離ユニット２０は、出口ダクト５０に隣り合う第２のサイクロン式分離ユニット２０の領域から下方に延在している、スライダ５８を備えている。スライダ５８は、スライダ５８の側部それぞれに、第１のレール６０及び第２のレール６２を備えており、スライダ５８の側部それぞれには、第１のレール６０と第２のレール６２との間に延在しているチャネル６４が形成されている。
【００３１】
本体４は、本体４の上側部分１２から下側部分１４に至るまで延在している取付部分６６を備えている。取付部分６６は、一組の互いに対して反対側に配置された溝６８，７０を有しており、溝６８，７０は、第１のレール６０及び第２のレール６２を滑動可能に受容するようになっている。第２の組の溝７２，７４は、本体４の上側部分１２の端面に形成されており、モータ入口５２の側部それぞれに配置されている。第２の組の溝７２，７４は、第１のレール６０及び第２のレール６２の上側部分それぞれを滑動可能に受容するようになっている。従って、第２のサイクロン式分離ユニット２０は、本体４及び塵箱２２に対して相対的に上下に滑動可能とされる。
【００３２】
作動要素７６が、取付部分６６に取り付けられており、スライダ５８の動作方向に対して垂直とされる軸線を中心として、当該実施例の場合にはサイクロン式分離チャンバ２４の長手方向軸線Ｘに対して垂直とされる軸線を中心として、取付部分６６に対して回転するように配置されている。
【００３３】
図５及び図７に表わすように、作動要素７６は、３つの丸い突起状構造体７８，８０，８２を、すなわち図７に表わすように作動要素７６の回転軸線に沿って離隔している平行面内それぞれにおいて延在している、制限ストッパ構造体７８、ラチェット乗り上げ構造体８０、及びラチェット構造体８２を有している。
【００３４】
作動要素７６は、制限ストッパ構造体７８が取付部分６６に隣接するように、且つ、ラチェット構造体８２が取付部分６６から最も遠位に離隔されるように配置されている。
【００３５】
取付部分６６は、第１の回動ストッパ８４と第２の回動ストッパ８６とを有している。第１の回動ストッパ８４は、（図５に表わすように）作動要素７６を反時計回りに回転させることによって、制限ストッパ構造体７８の第１の当接面８８が第１の回動ストッパ８４と接触し、これにより、さらなる反時計回りの回転が防止されるように配置されている。
【００３６】
第２の回動ストッパ８６は、（図５に表わすように）作動要素７６を時計回りに回転させることによって、制限ストッパ構造体７８の第２の当接面９０が第２の回動ストッパ８６と接触し、これにより、さらなる時計回りの回転が防止されるように配置されている。
【００３７】
従って、作動要素７６は、第１の位置と第２の位置との間において回転可能とされ、第１の位置では、第１の当接面８８が第１の回動ストッパ８４と接触しており、第２の位置では、第２の当接面９０が第２の回動ストッパ８６と接触している。中心を跨ぐバネ９１（図５のみに表わす）が、作動要素７６が第１の位置に位置している場合にバネ９１が作動要素７６を第１の位置に向かって付勢するように、且つ、作動要素７６が第２の位置に位置している場合にバネ９１が作動要素７６を第２の位置に向かって付勢するように、取付部分６６と作動要素７６との間に配置されている。
【００３８】
図４に表わすように、第２のサイクロン式分離ユニット２０のスライダ５８は、第１のレール６０の内側に沿って設けられた隆起構造体９２を備えている。隆起構造体９２は、本体４とサイクロン式分離器６とが共に固定された場合に、隆起構造体９２が作動要素７６のラチェット構造体８２と同一平面内において延在するように、第１のレール６０に沿って位置決めされている。ラチェット構造体８２は、図示の実施例ではＶ字状に形成されている尖端を有している。作動要素７６が第１の位置に位置している場合には、ラチェット構造体８２の尖端が隆起構造体９２の上方に配置されている。尖端の輪郭は、隆起構造体９２の隣り合う隆起部によって形成されている輪郭に一致しており、これにより、スライダ５８が第１の溝６８及び第２の溝７０の内部において上方に移動し、ラチェット構造体８２の尖端が隆起構造体９２の隣り合う隆起部同士の間において移動するので、作動要素７６がその回転軸線を中心として振動する。
【００３９】
隆起構造体９２に加えて、スライダ５８は、第１のレール６０の下側端部に設けられたラチェット係合解除構造体９４と、隆起構造体９２の最上側隆起部の直下に位置決めされているラチェット初期化構造体９６とを有している。ラチェット係合解除構造体９４とラチェット初期化構造体９６とは、本体４とサイクロン式分離器６とが共に固定された場合に、ラチェット係合解除構造体９４とラチェット初期化構造体９６との両方が作動要素７６のラチェット乗り上げ構造体８０と同一平面内に延在するように配置されている。
【００４０】
磁石の形態をしたトリガー装置９８（図示しない）は、センサ１００に面しているスライダ５８の下側端部に固定されており、本体４の下側部分１４の内部に配置されているリードスイッチ（図示しない）を備えている。センサ１００は、制御システムの一部分を形成している。当該制御システムは、磁石９８をセンサ１００に隣接させることによってセンサ１００が動作している場合に真空掃除機２の動作を可能とするように、且つ、磁石９８がセンサ１００の範囲外に位置している場合に真空掃除機２の動作を防止するように構成されている。
【００４１】
さらに、第２のサイクロン式分離ユニット２０は、第２のサイクロン式分離ユニット２０の後方に回動可能に取り付けられている分離器解除キャッチ１０２を備えている。分離器解除キャッチ１０２は、保持形体１０４を有している。保持形体１０４は、第２のサイクロン式分離ユニット２０が本体４に対して上方に引っ張られることを防止するために、本体４の上側部分１２に設けられたラッチ形体１０５を把持するように構成されている。
【００４２】
塵箱解除キャッチ１０６は、本体４の取付部分６６の底部に固定されている。塵箱解除キャッチ１０６は、塵箱２２を片持ち式で支持しており、塵箱２２を本体４に固定するために、塵箱２２の下側縁部を係合するように配置されている。従って、塵箱解除キャッチ１０６は、塵箱２２と係合及び係合解除するように屈曲可能とされる。
【００４３】
利用の際には、モータ及びファンユニット１３によって、汚染空気が真空掃除機２を通じて引き込まれる。第１のサイクロン式分離ユニット１８によって分離された塵埃は、塵箱基部３２と塵箱２２の下側部分とによって形成されている第１の塵埃収集器の内部に蓄積される。第２のサイクロン式分離ユニット２０によって分離された塵埃は、塵箱基部３２の隆起部分３５と中空の下側部分４６とによって形成されている第２の塵埃収集器の内部に蓄積される。
【００４４】
蓄積された塵埃を真空掃除機２から除去するために、操作者は、最初に片手でハンドル１６を把持した後に、他方の手で分離器解除キャッチ１０２を本体４に向かって引き戻し、分離器解除キャッチ１０２を回動させ、これにより、本体４のラッチ形体１０５との係合が解除されるように分離器解除キャッチ１０２の保持形体１０４を移動させる。
【００４５】
その後に、操作者は、分離器解除キャッチ１０２を上方に引っ張り、これにより、第２のサイクロン式分離ユニット２０と管状のスクリーン４０とを塵箱２２の頂部を通じて上方に引き出す。従って、第２のサイクロン式分離ユニット２０と塵箱２２との間における密着性が損なわれる。また、中空の下側部分４６の弾性的な端部セクション５６と塵箱基部３２の隆起部分３５との間における密着性も損なわれる。
【００４６】
第２のサイクロン式分離ユニット２０が上方に引き込まれると、第２の塵埃収集器に収集された塵埃が第１の塵埃収集器の内部に流入する。管状のスクリーン４０を塵箱から引き出すことによって、第１の塵埃収集器の内部における塵埃のための空間を大きくすることができるので、管状のスクリーン４０と塵箱２２の外壁との間に捕捉されている塵埃が、第１の塵埃収集器の底部に形成された追加的な空間に落下する。さらに、第２のサイクロン式分離ユニット２０が上方に引っ張られると、管状のスクリーン４０が、塵箱２２に固定されている環状ワイパー４２に沿って滑動する。環状ワイパー４２は、例えば髪の毛や糸のような、スクリーン４０に固着している塵埃をスクリーン４０に沿って強制的に擦り取り、当該塵埃をスクリーン４０の端部から第１の塵埃収集器の内部に押し出す。管状のスクリーン４０が塵箱２２から引き出されること、及び、環状ワイパー４２によって管状のスクリーン４０を清掃することによって、塵箱２２の上側部分によって形成されているサイクロン式分離チャンバ２４の内部に固着している塵埃の除去が著しく改善される。
【００４７】
操作者が、第２のサイクロン式分離ユニット２０と塵箱２２との間におけるシールと、中空の下側部分４６の弾性的な端部セクション５６におけるシールとを損なわせてしまうと、望ましくはないが、第２のサイクロン式分離ユニット２０が、塵箱２２が空になるまで塵箱２２の内部に向かって下方に押し戻される。これは、塵埃が弾性的な端部セクション５６と塵箱基部３２との間に捕捉されるので、シールの再形成が防止され、これにより、サイクロン式分離器６の分離効率を悪化させるからである。さらには、塵箱２２が塵埃を含んでいる際に第２のサイクロン式分離ユニット２０が塵箱２２の内部に押し戻された結果として、第２のサイクロン式分離ユニット２０が押し戻されるに従って、空気と塵埃とが、第２のサイクロン式分離ユニット２０と塵箱２２の頂部との間に形成された間隙を通じて塵箱２２の頂部から強制的に流出される。このことは、塵埃が塵箱２２の頂部から排出されると、操作者が汚れてしまう原因となり、望ましくないことである。
【００４８】
図６Ａ及び図６Ｂは、スライダ５８と作動要素７６と塵箱２２のアクチュエータ３９との相互作用に関する説明を補助するために選択された本体４及びサイクロン式分離器６の構成要素を表わす。図６Ａは、分離器解除キャッチ１０２を上方に引っ張る前における構成とされるサイクロン式分離器６を表わす。
【００４９】
スライダ５８が図６Ａに表わす構成から上方に移動すると、隆起構造体９２の上方隆起がラチェット構造体８２と接触し、ラチェット構造体８２の尖端を上方に押すので、作動要素７６が（図６Ａに表わすように）反時計回りに回転する。従って、上方隆起は、ラチェット構造体８２が遠位に移動すると、ラチェット構造体８２の尖端を押しのける。上方隆起が当該尖端を飛び越えると、バネ９１が作動要素７６を時計回りに付勢して引き戻すので、当該尖端が上方隆起の直下において隆起と係合する。このことは、スライダ５８が上方に移動すると、隆起それぞれについて繰り返される。操作者が、ラチェット構造体８２が隆起構造体９２と係合した状態において、第２のサイクロン式分離器ユニット２０を塵箱２２の内部に押し戻そうとした場合には、制限ストッパ構造体７８の第１の当接面８８が第１の回動ストッパ８４と接触するので、作動要素７６が（図６Ａに表わすように）時計回りに回転することが防止されると共に、隆起構造体９２の隆起がラチェット構造体８２の尖端を押しのけることも防止される。従って、隆起構造体９２とラチェット構造体８２とは、ラチェットの形態をした回り止め機構を形成しており、当該回り止め機構は、塵箱２２からの塵埃除去プロセスが開始されると、第２のサイクロン式分離ユニット２０が塵箱２２の内部に押し戻されることを防止する。
【００５０】
隆起構造体９２がラチェット構造体８２を飛び越えると、第２のサイクロン式分離ユニット２０がさらに上方に移動し、これにより、ラチェット係合解除構造体９４がラチェット乗り上げ構造体８０の尖端と接触する。ラチェット係合解除構造体９４が作動要素７６を通過して引き込まれる際に、ラチェット係合解除構造体９４はラチェット乗り上げ構造体８０を上方に押すので、作動要素７６が反時計回りに回転する。ラチェット乗り上げ構造体８０の長さは、作動要素７６の回転角度が隆起構造体９２とラチェット構造体８２との係合によって生じる作動要素７６の回転角度より大きくなるように決定されている。同時に、制限ストッパ構造体７８の丸い突出部が、塵箱２２のキャッチ３６を解除するためのアクチュエータ３９の頂部と接触するので、カムが塵箱アクチュエータ３９を押し下げ、これにより図６Ｂに表わすように、キャッチ３６が解除され、塵箱基部３２が開放される。ラチェット係合解除構造体９４が作動要素７６を回転させることによって、作動要素７６がバネ９１のオーバーセンター点を通過して回転する。従って、作動要素７６は、バネ９１によって第２の位置に保持され、制限ストッパ構造体７８の丸い突出部が、操作者が塵箱基部３２を閉じることを防止する。
【００５１】
塵箱基部３２を閉じるために、最初に、操作者は、塵箱２２と第２のサイクロン式分離ユニット２０との間にシールが再び形成されるように、管状のスクリーン４０と共に第２のサイクロン式分離ユニット２０を塵箱２２の内部に押し戻す必要がある。押し戻す際に、スライダ５８のラチェット初期化構造体９６が作動要素７６のラチェット乗り上げ構造体８０に対して下向きに押されるので、作動要素７６が時計回りに回転され、第１の位置に復帰する。従って、操作者が塵箱基部３２を閉じることを防止した制限ストッパ構造体７８の丸い突出部は、アクチュエータ３９の頂部から離隔するように移動されるので、利用者は、塵箱基部３２を閉じることができる。
【００５２】
当該機構の利点は、塵埃除去プロセスが開始されると、塵箱基部３２を開くことによって操作者が処理を完了させた後に、塵箱基部３２が再び閉塞可能となる前に、第２のサイクロン式分離ユニット２０を塵箱基部２２の内部に押し戻す必要があることである。これにより、操作者は、塵箱２２から第２のサイクロン式分離ユニット２０を部分的に取り外した後に、塵埃が依然として塵箱２２に残存している状態において、第２のサイクロン式分離ユニット２０を塵箱２２の内部に押し戻すことが困難になる。また、操作者にとって、塵箱基部３２が閉じられた状態において真空掃除機を組み立てることも、その後に第２のサイクロン式分離ユニット２０を塵箱２２の内部に押し込むことも困難になるので、これにより、排出された塵埃によって操作者が汚れることが防止される。
【００５３】
第２のサイクロン式分離ユニット２０が塵箱２０から引き出され、本体４から離隔されると、出口ダクト５０とモータ入口５２とが互いに対して芯ずれするように移動される。真空掃除機２が動作可能とされる場合には、塵埃がサイクロン式分離器６を迂回して直接モータの内部に引き込まれる恐れがあり、この場合にはモータが損傷することになる。しかしながら、第２のサイクロン式分離ユニット２０が上方に移動されると、磁石がセンサ１００の検出範囲から外れるので、真空掃除機２が使用不能となり、操作者が不注意で真空掃除機２を操作してしまうことは防止される。このことは、モータ入口５２が露出している際における真空掃除機２の偶発的な動作に対する安全装置として機能する。
【００５４】
図８は、本体２０４と本体２０４に取り外し可能に取り付けられているサイクロン式分離器２０６とを備えている円筒形真空掃除機２０２を表わす。
【００５５】
図９及び図１０は、サイクロン式分離器２０６単体を表わす。サイクロン式分離器２０６は、第１のサイクロン式分離ユニット２０８と第２のサイクロン式分離ユニット２１０とを備えている。第１のサイクロン式分離ユニット２０８と第２のサイクロン式分離ユニット２１０とは、図１に表わす真空掃除機２の第１のサイクロン式分離ユニット１８及び第２のサイクロン式分離ユニット２０の構成に類似する構成を有している。従って、第１のサイクロン式分離ユニット２０８は、円筒状外壁２１３を有している塵箱２１２と、ヒンジ２２０を介して円筒状外壁２１３に接続されていると共に塵箱解除キャッチ２２２によって閉位置に保持されている塵箱基部２１８とを備えており、円筒状外壁２１３が、サイクロン式分離チャンバ２１４及び第１の塵埃収集領域２１６を形成しており、塵箱解除キャッチ２２２が、塵箱２１２の下側外面に設けられている保持形体２２３を係止している。塵箱基部２１８が、例えばエラストマー材料のような弾性材料から成るダイアフラム２１９を備えている。環状外壁２１３の下側部分と塵箱基部２１８とが共に、第１のサイクロン式分離ユニット２０８によって分離された塵埃を収集するための第１の塵埃収集器を形成している。管状のスクリーン２２４は、サイクロン式分離チャンバ２１４の内部に配置されており、サイクロン式分離チャンバ２１４のための入口２２６が、管状のスクリーン２２４を貫通して設けられており、サイクロン式分離チャンバ２１４に向かってラジアル方向外方に開口している。環状のワイパー２２８は、エラストマー材料から成るリングとされ、塵箱２１２の上側部分に固定されている。
【００５６】
第２のサイクロン式分離ユニット２１０は、第１のサイクロン式分離ユニット２０８の下流に配置されている複数の第２のサイクロン２３０と、モータ前フィルタ（図示しない）と、２つの隣り合うサイクロンの間で後方に延在している出口ダクト２３２とを備えている。中空の下側部分２３４が、第２のサイクロン２３０の固形物用出口の下方に配置されており、管状のスクリーン２２４の内部において下方に延在している。中空の下側部分２３４と塵箱基部２１８のダイアフラム２１９とが共に、第２のサイクロン式分離ユニット２１０によって分離された塵埃を収集するための第２の塵埃収集器を形成している。ハンドル２３５は、第２のサイクロン式分離ユニット２１０の頂部に設けられており、ハンドル２３５によって、第２のサイクロン式分離ユニット２１０が本体２０４から取り外され、第２のサイクロン式分離ユニット２１０が運搬可能とされる。
【００５７】
図１１に表わすように、第２のサイクロン式分離ユニット２１０は、出口ダクト２３２の下方において第２のサイクロン式分離ユニット２１０の領域から下方に延在しているスライダ２３６をさらに備えている。スライダ２３６は、スライダ２３６の側面それぞれに沿って延在している第１のレール２３８及び第２のレール２４０を備えている。スライダ２３６は、第２のレール２４０に隣り合って且つスライダ２３６の中間部分に沿って延在している隆起構造体２４２を有している。隆起構造体２４２は、複数の隆起を、図示の実施例では６つの隆起を有しており、隆起それぞれが、スライダ２３６から離隔するように下方に延在している上側傾斜面２４４と、スライダ２３６の長手方向に対して垂直に延在している下側面２４６とを有している。最後の最下側隆起２４８は、隆起構造体２４２の下方に設けられている。また、最下側隆起２４８は、スライダ２３６から離隔するように下方に傾斜している上側面２５０を有している。最下側隆起２４８の最大高さは、隆起構造体２４２の隆起の最大高さより大きい。キャッチ停止構造体２５２が、最下側隆起２４８の底部に設けられている。矩形状の形態とされる停止開口部２５４は、隆起構造体２４２の直上においてスライダ２３６を貫通して設けられている。シールド構造体２５６は、停止開口部２５４からキャッチ停止構造体２５２に至るまで、隆起構造体２４２に並行して延在している。間隙２５８は、最下側隆起２４８に隣り合っているシールド構造体２５６に設けられている。
【００５８】
図１２〜図１５に表わすように、塵箱２１２は、アクチュエータ２６０と塵箱保持キャッチ２６２とラッチ要素２６３とを備えている（図１５に表わす）。アクチュエータ２６０は、プッシュロッドの形態とされ、アクチュエータ２６０が第１の位置（未展開位置）と第２の位置（展開位置）との間において上下動可能とされるように（すなわち、塵箱２１２の円筒状外壁２１３に対して平行とされるように）、塵箱２１２の側面を捕捉した状態で溝２６５に保持されている。塵箱基部２１８が閉位置に位置している場合に、第１の位置から第２の位置に至るまでアクチュエータ２６０が移動されることによって、アクチュエータ２６０の下側縁部がキャッチ２２２とキャッチ保持形体２２３との間に押し進められ、キャッチ２２２が解除される。
【００５９】
図１３及び図１４はアクチュエータ２６０単体を表わすが、アクチュエータ２６０は、桿体状の動作部分２６４と、桿体状の動作部分２６４に結合している接続部分２６６と、接続部分２６４から上方に延在している保護部分２６８と、保護部分２６８の頂部に配置されているプッシュボタンの形態をした押下部分２７０とを備えている。
【００６０】
動作部分２６４は、塵箱２１２の反対側に面している動作部分２６４の側面に、キャッチ解除構造体２７２を備えている。キャッチ解除構造体２７２は、塵箱２１２に向かって下方に延在している表面を有している。さらに、動作部分２６４は、キャッチ解除構造体２７２の直上に配置されているストッパ構造体２７４を備えている。ストッパ構造体２７４は、アクチュエータ２６０の動作方向に対して直角に延在している下側表面を有している。さらに、動作部分２６４は、塵箱２１２に面している動作部分２６４の表面に、凹所の形態をした保持構造体２７６を備えている。保持構造体２７６は、キャッチ解除構造体２７２及びストッパ構造体２７４の上方に配置されている。
【００６１】
保護部分２６８は、押下部分２７０の直下に且つ保護部分２６８の下面に、凹所２７７を有している。
【００６２】
塵箱保持キャッチ２６２は、塵箱２１２の円筒状外壁２１３に回動可能に接続されている。図１５に表わすように、塵箱保持キャッチ２６２は、ピボットから最も遠位に位置する塵箱保持キャッチ２６２の端部に、第１の突起２７８を備えている。第１の突起２７８は、塵箱保持キャッチ２６２の下面に設けられており、塵箱２１２の円筒状外壁に向かって内方に突出している。第２の突起２８０は、塵箱保持キャッチ２６２に沿って中間に位置決めされている。また、第２の突起２８０は、塵箱２１２の円筒状外壁に向かって内方に突出している。捩じりバネ２８２が、塵箱保持キャッチ２６２が塵箱２１２の円筒状外壁２１３に向かって付勢されるように、塵箱２１２の円筒状外壁２１３と塵箱保持キャッチ２６２との間に配置されている。
【００６３】
ラッチ要素２６３は、板バネ２８４の一方の端部において塵箱２１２の環状外壁に固定されている板バネ２８４を備えており、アクチュエータ係合要素２８６が、板バネ２８４の他方の端部に固定されている。ラッチ要素２６３は、アクチュエータ係合要素２８６が塵箱２１２の環状外壁から離隔するように外方に付勢されるように配置されている。
【００６４】
図１４は、図１３に表わすアクチュエータ２６０を図示する別の斜視図であるが、引張バネ２８８は、アクチュエータ２６０の下面において凹所の内部に配置されている。引張バネ２８８の一方の端部が、塵箱２１２の環状外壁に接続されており、引張バネ２８８の他方の端部が、アクチュエータ２６０が第１の位置に向かって上方に付勢されるように、アクチュエータ２６０に接続されている。
【００６５】
蓄積された塵埃を第１の塵埃収集器及び第２の塵埃収集器から取り除くために、操作者は、一方の手でハンドル２３５を把持し、他方の手でアクチュエータ２６０の押下部分２７０を下方に押し下げる。押し下げる前に、アクチュエータ２６０は、塵箱２１２の溝２６５の上側端面と当接且つ係合するように動作部分２６４の頂部を付勢する引張バネ２８８によって、第１の位置に保持されている。第１の位置では、塵箱保持キャッチ２６２の上面に形成された第１の突起２７８は、スライダ２３６を貫通した状態で停止開口部２５４に配置されているので、塵箱２１２がスライダ２３６ひいては第２のサイクロン式分離ユニット２１０に対して相対的に移動することを防止する。
【００６６】
塵箱保持キャッチ２６２の下面に形成された第２の突起２８０は、キャッチ解除構造体２７２の直下に位置決めされている（図１３参照）。従って、アクチュエータ２６０が塵箱２１２に対して下方に押されると、第２の突起２８０がアクチュエータ２６０のストッパ構造体２７４と接触した状態においてキャッチ解除構造体２７２に乗り上がるように、キャッチ解除構造体２７２が第２の突起２８０の下方において滑動する。これにより、塵箱保持キャッチ２６２が塵箱２１２の外壁に対して回動されるので、第１の突起２７８が停止開口部２５４から係合解除されるように移動され、スライダ２３６に対して相対的に移動するために塵箱２１２が取り外される。ストッパ構造体２７４は、アクチュエータ２６０が塵箱２１２に対して相対的にさらに移動することを防止する。従って、操作者がアクチュエータ２６０を押し下げると、塵箱２１２がスライダ２３６に沿って滑動する。塵箱２１２が下方に移動すると、塵箱保持キャッチ２６２の第１の突起２７８が隆起構造体２４２の上側傾斜面２４４に沿って乗り上がる。下側面２４６は垂直とされるので、反対方向（上方向）への移動を防止する。
【００６７】
従って、隆起構造体２４２と塵箱保持キャッチ２６２とが、ラチェット機構を形成しており、当該ラチェット機構は、塵箱２１２がスライダ２３６に対して下方に移動することを可能とするが、上方への移動を防止する。このことは、塵埃除去プロセスが開始されると、塵箱２１２を空にする前における、利用者による塵箱２１２の交換が困難になることを確実にする。このことの利点は、図１に表わす真空掃除機に関する説明の通りである。
【００６８】
塵箱２１２の行程の最大距離において、塵箱保持キャッチ２６２は、スライダ２３６のキャッチ停止構造体２５２と接触する。接触すると、塵箱保持キャッチ２６２の第１の突起２７８が最下側隆起２４８に乗り上がる。これにより、塵箱保持キャッチ２６２の端部が、第２の突起２８０を持ち上げている塵箱２１２の環状外壁からさらに外側に回動され、アクチュエータ２６０のストッパ構造体２７４から係合解除される。従って、アクチュエータ２６０は、塵箱２１２に対して、第２の位置に向かってさらに下方に押し下げ可能とされるので、アクチュエータ２６０の端部は、塵箱解除キャッチ２２２と保持形体２２３との間において押し進められ、塵箱解除キャッチ２２２が、塵箱基部２１８が第１の塵埃収集器及び第２の塵埃収集器を空にするために開放可能となるように解除される。アクチュエータ２６０が第２の位置に移動すると、ラッチ要素２６３のアクチュエータ係合要素２８６は、板バネ２８４によって、保持構造体２７６と係合するように付勢されるので、アクチュエータ２６０は、ラッチ要素２６３によって第２の位置に保持される。これにより、塵箱基部２１８が閉位置に戻ることが防止される。さらに、第１の突起２７８が隆起構造体２４２と係合することなく、塵箱２１２がスライダ２３６に沿って滑動して元の位置に復帰することができるように、ラッチ要素２６３は上昇位置においてキャッチを保持する。
【００６９】
第２の位置に位置している場合には、保護部分２６８の凹所２７７が塵箱保持キャッチ２６２の上方に位置決めされている。これにより、塵箱保持キャッチ２６２を塵箱２１２の環状外壁２１３からさらに離隔するように回動させるための空間が形成されるので、塵箱保持キャッチ２６２の端部をキャッチ停止構造体２５２の上方に持ち上げることができ、塵箱２１２をスライダ２３６から完全に取り外すことができる。
【００７０】
塵箱２１２がスライダ２３６に沿って塵箱２１２の初期位置に復帰すると、スライダ２３６の縁部２９０が、ラッチ要素２６３のアクチュエータ係合要素２８６を保持構造体２７６から強制的に外し、環状外壁２１３に向かって移動させる。ラッチ要素２６３が解除されると、引張バネ２８８が、アクチュエータ２６６をアクチュエータ２６６の第１の位置に復帰させる。従って、使用のために、サイクロン式分離器２０６を本体２０４に戻すことができる。
【符号の説明】
【００７１】
２  スティック型真空掃除機
４  本体
６  サイクロン式分離器
８  ワンド
１０  掃除機ヘッド
１２  （本体４の）上側部分
１３  ファンユニット
１４  （本体４の）下側部分
１５  バッテリーパック
１６  ハンドル
１８  第１のサイクロン式分離ユニット
２０  第２のサイクロン式分離ユニット
２２  塵箱
２３  （塵箱２２の）円筒状外壁
２４  サイクロン式分離チャンバ
２６  （サイクロン式分離チャンバ２４の）入口
２８  塵埃収集領域
３０  入口ダクト
３２  塵箱基部
３４  ヒンジ
３５  （塵箱基部３２の）隆起部分
３６  キャッチ
３８  保持形体
３９  アクチュエータ
４０  スクリーン
４２  環状ワイパー
４４  第２のサイクロン
４６  下側部分
４８  モータ前フィルタ
５０  出口ダクト
５２  モータ入口
５４  入口ダクト
５５  端部壁
５６  端部セクション
５８  スライダ
６０  第１のレール
６２  第２のレール
６４  チャネル
６６  （本体４の）取付部分
６８  （第１の）溝
７０  （第２の）溝
７２  （第２の組の）溝
７４  （第２の組の）溝
７６  作動要素
７８  制限ストッパ構造体
８０  ラチェット乗り上げ構造体
８２  ラチェット構造体
８４  第１の回動ストッパ
８６  第２の回動ストッパ
８８  （制限ストッパ構造体７８の）第１の当接面
９０  （制限ストッパ構造体７８の）第２の当接面
９１  バネ
９２  （第２のサイクロン式分離ユニット２０の）隆起構造体
９４  ラチェット係合解除構造体
９６  ラチェット初期化構造体
９８  トリガー装置（磁石）
１００  センサ
１０２  （第２のサイクロン式分離ユニット２０の）分離器解除キャッチ
１０４  （分離器解除キャッチ１０２の）保持形体
１０５  ラッチ形体
１０６  塵箱解除キャッチ
２０２  円筒形真空掃除機
２０４  本体
２０６  サイクロン式分離器
２０８  第１のサイクロン式分離ユニット
２１０  第２のサイクロン式分離ユニット
２１２  塵箱
２１３  円筒状外壁
２１４  サイクロン式分離チャンバ
２１６  第１の塵埃収集領域
２１８  塵箱基部
２１９  ダイアフラム
２２０  ヒンジ
２２２  塵箱解除キャッチ
２２３  保持形体
２２４  スクリーン
２２６  （サイクロン式分離チャンバ２１４のための）入口
２２８  ワイパー
２３０  第２のサイクロン
２３２  出口ダクト
２３４  下側部分
２３５  ハンドル
２３６  スライダ
２３８  第１のレール
２４０  第２のレール
２４２  隆起構造体
２４４  （隆起の）上側傾斜面
２４６  （隆起の）下側面
２４８  最下側隆起
２５０  （最下側隆起２４８の）上側面
２５２  キャッチ停止構造体
２５４  停止開口部
２５６  シールド構造体
２５８  間隙
２６０  アクチュエータ
２６２  塵箱保持キャッチ
２６３  ラッチ要素
２６４  動作部分
２６５  溝
２６６  接続部分
２６８  保護部分
２７０  押下部分
２７２  キャッチ解除構造体
２７４  ストッパ構造体
２７６  保持構造体
２７７  凹所
２７８  第１の突起
２８０  第２の突起
２８２  捩じりバネ
２８４  板バネ
２８６  アクチュエータ係合要素
２８８  引張バネ
２９０  （スライダ２３６の）縁部
Ｘ  （サイクロン式分離チャンバ２４の）長手方向軸線
【図１】
0006366750.tif 000002
【図２】
0006366750.tif 000003
【図３】
0006366750.tif 000004
【図４】
0006366750.tif 000005
【図５】
0006366750.tif 000006
【図６Ａ】
0006366750.tif 000007
【図６Ｂ】
0006366750.tif 000008
【図７】
0006366750.tif 000009
【図８】
0006366750.tif 000010
【図９】
0006366750.tif 000011
【図１０】
0006366750.tif 000012
【図１１】
0006366750.tif 000013
【図１２】
0006366750.tif 000014
【図１３】
0006366750.tif 000015
【図１４】
0006366750.tif 000016
【図１５】
0006366750.tif 000017